(57)【要約】【課題】２部材間の角度を保持している状態で、部材を手で強く押しても、容易にロックが解除されない角度保持機構と、これを用いた機器を提供する。【解決手段】機器の２部材間のヒンジ結合部に配置された角度保持機構において、はすば歯車のような傾斜を有する歯が形成された部分歯車４１と、この部分歯車４１に係合するロック片４２が設けられる。ロック片４２には、ロック片４２をロック位置に付勢するとともに、ロック解除位置へ移動可能なばね４３が設けられている。２部材間に角度変化が生じるとき、ある方向への角度変化は、部分歯車４１とロック片４２との間にロック状態維持の分力を発生させ、反対方向への角度変化は、同様にロック状態解除の分力を発生させる。ロック解除片４４をロック片４２に接触させ、ロック片４２が移動させられることによってロック状態が解除される。【選択図】　　　図１
2004146514.tif 000002
【特許請求の範囲】
【請求項１】
機器の２部材間のヒンジ結合部に配置され、これら２部材間の角度を保持する機構において、
はすば歯車のような傾斜を有する歯が形成された部分歯車と、この部分歯車に係合するロック片によって構成され、前記部分歯車は、その回転軸が前記ヒンジ軸に一致するように前記２部材の一方に固定され、前記ロック片は、前記２部材の他方に移動可能に設けられ、前記２部材の間に角度変化が生じるとき、ある方向への角度変化は前記部分歯車とロック片との間にロック状態維持の分力を発生させ、反対方向への角度変化は前記部分歯車とロック片との間にロック状態解除の分力を発生させることを特徴とする角度保持機構。
【請求項２】
前記部分歯車が、ヒンジ結合された前記２部材の一方に配設されたヒンジ片と一体に形成されていることを特徴とする請求項１に記載の角度保持機構。
【請求項３】
前記ロック片を設けた側の部材に、このロック片をロック位置に付勢するばねが設けられていることを特徴とする請求項２に記載の角度保持機構。
【請求項４】
前記ロック片が、前記部分歯車の歯に係合する単一の突起を有することを特徴とする請求項３に記載の角度保持機構。
【請求項５】
前記ロック片と前記部分歯車とのロックを解除するための、ロック解除片を設けることを特徴とする請求項４に記載の角度保持機構。
【請求項６】
前記ロック解除片を操作することによって、ロック解除片の一端が前記ロック片に接触し、これによりロック片が、ロック解除位置に移動することを特徴とする請求項５に記載の角度保持機構。
【請求項７】
前記ロック解除片が、前記部分歯車を設けた側の部材に設けられていることを特徴とする請求項６に記載の角度保持機構。
【請求項８】
前記ロック解除片は、斜面作用により前記ロック片を移動させるものであることを特徴とする請求項７に記載の角度保持機構。
【請求項９】
前記２部材間の角度がどのようになっても、前記ロック解除片が、前記ロック片に作用を及ぼすことが可能であることを特徴とする請求項７又は請求項８に記載の角度保持機構。
【請求項１０】
２つの部材の間に、請求項５ないし請求項９のいずれかに記載された角度保持機構を設けた機器。
【請求項１１】
前記２つの部材が、本体と、この本体に対し倒伏状態と起立状態の間で角度変更可能に設けられる表示部であることを特徴とする請求項１０に記載の機器。
【発明の詳細な説明】
【０００１】
【発明の属する技術分野】
本発明は角度保持機構と、これを用いた機器に関する。
【０００２】
【従来の技術】
現在では、表示部の角度調整が可能であり、且つ調整後の表示部の角度を保持する機構を設けた機器が数多く存在する。例えば、卓上型電話機、ファクシミリ、カーナビゲーションシステム、ノートパソコンなどが挙げられる。この角度保持機構によって、これらの表示部は倒伏状態と起立状態の間の任意の角度で保持される。上記卓上電話機のような場合は、表示部を倒伏状態で使用するよりも、起立状態で使用したほうが表示の視認性が高いと考えられる。したがって、これらの表示部は、使用者が手で角度を任意に変更して表示の視認性を調整することができ、変更後の角度は角度保持機構によって保持される。
【０００３】
この角度保持機構には、摩擦によって角度を保持するものもある。この場合、ヒンジ等に作用する摩擦力で角度を保持するわけであるが、角度が変わりやすい性質を持っている。一方、卓上電話機などの機器のように、表示部の角度を変える機会の少ないものは、ロックすることにより、しっかりと角度を保持したほうが良い。
【０００４】
そこで、起立状態で表示部の角度を保持するためのロック機構を設けているものもある。ロック機構を設けることにより、使用者の意図に反して表示部が倒伏方向へと自由に倒れることを防止する。表示部を倒伏方向へと角度変更したいときには、使用者はロック解除ボタンを押すなどしてロックを解除する。このようなロック機構として、本体に爪片を、表示部に複数の溝を有するロック片を設け、各々を係合させる手法が提案されている（特許文献１参照）。
【０００５】
【特許文献１】
特開平６−２３７４２７号公報（図４）
【０００６】
【発明が解決しようとする課題】
しかしながら、特許文献１記載のようなロック機構は、倒伏状態と起立状態の間で角度変更させる方向と直角をなす方向にロック片を移動させて、表示部をロックするため、使用者が表示部を手で強く押すと、ロックが解除されてしまう可能性がある。
【０００７】
本発明は上記の点に鑑みなされたものであり、機器の２部材間のヒンジ結合部に配置され、これら２部材間の角度を保持する機構において、角度を保持している状態で、使用者が部材を手で強く押しても、容易にロックが解除されない角度保持機構と、これを用いた機器を提供することを目的とする。
【０００８】
【課題を解決するための手段】
上記の課題を解決するため、本発明では、機器の２部材間のヒンジ結合部に配置され、これら２部材間の角度を保持する機構において、はすば歯車のような傾斜を有する歯が形成された部分歯車と、この部分歯車に係合するロック片によって構成され、前記部分歯車は、その回転軸が前記ヒンジ軸に一致するように前記２部材の一方に固定され、前記ロック片は、前記２部材の他方に移動可能に設けられ、前記２部材の間に角度変化が生じるとき、ある方向への角度変化は前記部分歯車とロック片との間にロック状態維持の分力を発生させ、反対方向への角度変化は前記部分歯車とロック片との間にロック状態解除の分力を発生させる。
【０００９】
この構成によれば、２部材間に力を加えるだけでロック状態を解除でき、２部材間の角度変更を容易に行うことが可能である。また、はすば歯車のような傾斜を有する歯をロック片と係合させ、ロック片の移動を規制することによって、歯が持つ傾斜の作用を利用した、強固なロック状態の維持を実現することが可能である。
【００１０】
また、本発明では、前記部分歯車が、ヒンジ結合された前記２部材の一方に配設されたヒンジ片と一体に形成されている。
【００１１】
この構成によれば、前記ロック片と係合する係止手段を、別部品として新たに設ける必要がない。
【００１２】
また、本発明では、前記ロック片を設けた側の部材に、このロック片をロック位置に付勢するばねが設けられている。
【００１３】
この構成によれば、ばねの付勢力によって自動的に、ロック片をロック位置に移動することが可能である。
【００１４】
また、本発明では、前記ロック片が、前記部分歯車の歯に係合する単一の突起を有する。
【００１５】
この構成によれば、複数の突起を複数の歯に係合させることによって必要となる非常に複雑な形状のロック片を作成する必要がない。
【００１６】
また、本発明では、前記ロック片と前記部分歯車とのロックを解除するための、ロック解除片を設ける。
【００１７】
この構成によれば、前記２部材間の角度変更をするために手を添える場所と、前記角度保持機構との距離が離れている場合であっても、ロック解除操作を行うことが可能である。
【００１８】
また、本発明では、前記ロック解除片を操作することによって、ロック解除片の一端が前記ロック片に接触し、これによりロック片が、ロック解除位置に移動する。
【００１９】
この構成によれば、ロック解除片がロック片に単に接触するだけでロック解除がなされることより、ロック解除のための複雑な機構を新たに設ける必要がない。
【００２０】
また、本発明では、前記ロック解除片が、前記部分歯車を設けた側の部材に設けられている。
【００２１】
この構成によれば、部分歯車を設けた側の部材が可動部材であった場合、この部材を一方の手で持って角度変更するときに、角度変更とロック解除の二つの操作を、片手で行うことが可能である。
【００２２】
また、本発明では、前記ロック解除片は、斜面作用により前記ロック片を移動させる。
【００２３】
この構成によれば、ロック解除操作に伴うロック解除片の移動方向とは異なる方向に、ロック片を移動させることが可能である。
【００２４】
また、本発明では、前記２部材間の角度がどのようになっても、前記ロック解除片が、前記ロック片に作用を及ぼすことが可能である。
【００２５】
この構成によれば、２部材間の角度がどのような状態であっても、常に、ロック解除を行うことが可能である。
【００２６】
また、本発明では、機器の２つの部材の間に、前記角度保持機構を設けた。
【００２７】
この構成によれば、２部材の角度を様々に変更して使用する機器において、２部材間に力を加えるだけでロック状態を解除でき、２部材間の角度変更を容易に行うことが可能である。また、はすば歯車のような傾斜を有する歯をロック片と係合させ、ロック片の移動を規制することによって、歯が持つ傾斜の作用を利用した、強固なロック状態の維持を実現できる。
【００２８】
また、本発明では、前記機器において、前記２つの部材が、本体と、この本体に対し倒伏状態と起立状態の間で角度変更可能に設けられる表示部であるものとした。
【００２９】
この構成によれば、表示部の起立方向に力を加えるだけでロック状態を解除でき、見易い角度に容易に角度変更することが可能である。さらに、倒伏方向に強い力が加えられても、その角度を強固なロック状態で維持することが可能である。
【００３０】
【発明の実施の形態】
以下、本発明の実施形態を図に基づき説明する。
【００３１】
本発明の実施形態に係る角度保持機構を用いた機器を、図１から図６に示す。図１は、本発明の実施形態に係る角度保持機構を用いた機器の要部断面部分斜視図である。図２は、図１の機器の角度保持機構部の部分断面上面図である。図３は、図１の機器の角度保持機構部の部分断面側面図である。図４は、図１の機器の角度保持機構部の部分断面正面図である。図５は、角度保持機構に用いられている部分歯車の斜視図である。図６は、角度保持機構に用いられているロック片の斜視図である。図１から図６においては、本発明の角度保持機構を用いた機器が、液晶表示部を備えた機器であるとして設計されているものとする。
【００３２】
図１から図４に示す機器は、機器本体１と表示部２を備える。機器本体１は、その外装が筐体１１で構成されている。機器本体１は、表示部２とヒンジ結合する。そのヒンジ３の本体側ヒンジ片３１が、機器本体１に配設されている。
【００３３】
表示部２は、その外装が筐体２１で構成され、その表示部２には、機器の機能に基づいて様々な情報を表示する液晶表示画面２２が設けられている。また、筐体２１には、後述する角度保持機構４による表示部２のロックを解除するためのロック解除片４４が突出するロック解除片突出孔２１ａが設けられている。そして、本体側ヒンジ片３１とともにヒンジ３を構成する表示部側ヒンジ片３２が配設されている。
【００３４】
角度保持機構４は、ヒンジ３に設けられている。角度保持機構４は、部分歯車４１、ロック片４２、ばね４３、ロック解除片４４で構成されている。
【００３５】
図５において、部分歯車４１は、歯の部分がはすば歯車状に加工されている。４１ａや４１ｂのような傾斜を有する６箇所の歯と、その間に、４１ｃや４１ｄのような５箇所の溝が設けられている。６箇所の歯及び５箇所の溝は、部分歯車４１の取付軸に対して１６度ずつの角度間隔で設けられている。これらの歯の個数や角度といった具体的数値は、一つの好適例の例示であり、発明の範囲を限定するものではない。
【００３６】
図６において、ロック片４２には、前記部分歯車４１の歯４１ａ〜４１ｆと係合する単一の係合突起４２ａが設けられている。また、ロック解除片４４が接触するロック解除片当接面４２ｂが設けられている。ロック片４２は、ロック解除片４４の接触による斜面作用にて移動するため、ロック解除片当接面４２ｂは、傾斜をなして形成されている。さらに、表示部２がどのような角度になっても、ロック解除片４４による斜面作用が得られるように、ロック解除片当接面４２ｂは円弧状に形成されている。
【００３７】
ばね４３は、機器本体１の筐体１１とロック片４２の間に設けられている。また、ばね４３は引張りコイルばねであり、常に、ロック片４２をばね４３のほうへ引っ張るように、つまり、図２及び図４において右側に引き寄せるように付勢力を作用させている。
【００３８】
ロック解除片４４には、一端にロック片当接面４４ａが設けられている（図１、図２参照）。ロック片当接面４４ａは、ロック片４２のロック解除片当接面４２ｂと接触して、斜面効果が得られるように傾斜をなして形成されている。また、ロック片当接面４４ａと反対側の端部には、操作端部４４ｂを有する。
【００３９】
部分歯車４１は、その回転軸が前記ヒンジ軸に一致するように、表示部２に配設された表示部側ヒンジ片３２に固定されている。ロック片４２は機器本体１に、ばね４３はこのロック片４２と機器本体１の筐体１１の間に設けられている。そして、部分歯車４１の歯４１ａとロック片４２の単一の係合突起４２ａが係合するように、部分歯車４１とロック片４２が配設される。
【００４０】
ここで、ばね４３が、ロック片４２をばね４３のほうへ引っ張るように設けられているが、機器本体１にはストッパー（図示せず）が設けられているので、前記歯４１ａと係合突起４２ａが係合する位置からばね４３のほうへ、ロック片４２は移動できない。
【００４１】
また、ロック解除片４４が、ロック片４２のロック解除片当接面４２ｂに、ロック片当接面４４ａを当接させるように配設されている。ロック解除片４４は、表示部２の内部に納まり、操作端部４４ｂが、表示部２の筐体２１のロック解除片突出孔２１ａから突出するように配設される。ロック解除片４４の操作端部４４ｂをロック片４２の方向へ押すと、ロック片当接面４４ａがロック片４２のロック解除片当接面４２ｂに当接し、ロック片４２を移動させ、ロックが解除される。
【００４２】
図７は、角度保持機構の動作を示す部分断面上面図及び斜視図である。図中、矢印Ａ及びＢは、ヒンジ３及び部分歯車４１の回転方向を示す。すなわち、矢印Ａは表示部２の起立方向、矢印Ｂは倒伏方向である。部分歯車４１の歯は、前述のとおりはすば歯車状に形成されており、これに合わせて係合突起４２ａも、表示部２の回転方向Ａ及びＢに対して傾斜をなすように、ロック片４２に配設されている。
【００４３】
次に、図７（ｂ）のようなロック状態から、表示部２を起こすものとする。表示部側ヒンジ片３２とともに、部分歯車４１はその軸線を中心に矢印Ａの方向に回転する。この時、歯４１ｂと係合突起４２ａの間で分力が発生し、ロック片４２は、矢印Ｃの方向に移動しようとする。つまり、表示部２を起立方向Ａに角度変更するときには、部分歯車４１の歯４１ｂとロック片４２の係合突起４２ａの間で、ロック状態を解除する分力が発生することになる。
人力或いは重力により、表示部２を倒す力が働いたときには、表示部側ヒンジ片３１とともに、部分歯車４１はその軸線を中心に矢印Ｂの方向に回転する。この時、歯４１ａと係合突起４２ａの間で分力が発生し、ロック片４２は、矢印Ｄの方向に移動しようとする。しかしながら、図７（ａ）において、ロック片４２は、ストッパー（図示せず）によって破線Ｅの位置より右側へは移動しないように規制されている。つまり、表示部２を倒伏方向Ｂに角度変更するときには、部分歯車４１の歯とロック片４２の係合突起４２ａの間で、ロック状態を維持する分力が発生することになる。
【００４４】
図８は、表示部をロック解除方向に回転させたときの角度保持機構の動作を示す斜視図及び上面図である。図８（ａ）及び（ｂ）は、表示部の倒伏状態における角度保持機構の斜視図及び上面図である。図８（ｃ）及び（ｄ）は、倒伏状態から起立方向へ約６度角度変更した状態の角度保持機構の斜視図及び上面図である。図８（ｅ）及び（ｆ）は、倒伏状態から起立方向へ約１２度角度変更した状態の角度保持機構の斜視図及び上面図である。図８（ｇ）及び（ｈ）は、倒伏状態から起立方向へ１６度（歯一個分）角度変更した状態の角度保持機構の斜視図及び上面図である。
【００４５】
図８において、図８（ａ）及び（ｂ）に示す表示部２の倒伏状態が、初期状態であるとする。ロック片４２の係合突起４２ａは、部分歯車４１の一番端の溝４１ｃに収まっている。
【００４６】
次に、図８（ｃ）及び（ｄ）のように、起立方向に約６度角度変更したときは、部分歯車４１の歯４１ｂとロック片４２の係合突起４２ａの間で発生するロック状態を解除する分力により、ロック片４２がロック解除方向Ｃへ少し移動させられる。
【００４７】
次に、図８（ｅ）及び（ｆ）のように、起立方向への角度変更が約１２度に達したときには、さらにロック片４２が移動させられることにより、係合突起４２ａが部分歯車４１との係合から完全に外れる。この時、ロック片４２には、ロック片４２をロック位置に付勢するように、つまり図８（ｆ）において右側に引っ張るようにばね４３が取り付けられているため、係合突起４２ａが部分歯車４１の歯４１ｂに当接した状態でロック片４２の移動は止まる。
【００４８】
そして、図８（ｇ）及び（ｈ）のように、起立方向への角度変更が約１６度に達した状態で、ロック片４２の係合突起４２ａが、ばね４３の付勢力によって自動的に次の溝４１ｄに収まる。これら一連の動作により、表示部２が、倒伏状態から起立方向へ１６度角度変更した状態でロックされる。引き続き、表示部２を起こしていくと、上記のような動作が同様に繰り返される。
【００４９】
図９は、角度保持機構のロック解除片の位置変化を示す斜視図である。図９（ａ）は、表示部の倒伏状態における角度保持機構の斜視図である。図９（ｂ）は、表示部の起立状態における角度保持機構の斜視図である。操作端部４４ｂを指で押すと、図９（ａ）に示すように、ロック解除片４４が矢印Ｆの方向に移動する。ロック片当接面４４ａが、ロック片４２のロック解除片当接面４２ｂと接触し、これらの当接面の斜面作用により、ロック片４２がロック解除方向へと移動させられる。ロック解除片４４から指を離すと、ロック解除片４４が、図示しないばねの作用により元の位置に戻る。そして、ロック片４２も元の位置に戻る。
【００５０】
同様に、図９（ｂ）においては、表示部２が起立している。ロック片当接面４４ａは、表示部２に内蔵されているので、表示部２と同じ角度で起立している。表示部２の右上の部分に右手を掛け、右親指の腹で操作端部４４ｂを押すと、ロック解除片４４とロック片４２の当接面の斜面作用により、ロック片４２がロック解除方向へと移動させられる。操作端部４４ｂを押したまま表示部を倒していくと、ロック片当接面４４ａがロック解除片当接面４２ｂの円弧状の部分に沿うように当接しながら移動するので、常に、ロック解除された状態となり、係合突起４２ａに止められることなく、表示部２は倒れる。操作部４４ｂから指を離せば、ロック解除片４４が、図示しないばねの作用により元の位置に戻り、ロック片４２も元の位置に戻る。このように、表示部２がどのような角度であっても、ロック解除がなされるように、ロック片４２のロック解除片当接面４２ｂが形成されている。
【００５１】
上記のように本発明の実施形態を示したが、この他、発明の主旨を逸脱しない範囲で種々の変更を加えて実施することができる。
【００５２】
【発明の効果】
本発明の上記構成によれば、機器の２部材間のヒンジ結合部に配置され、これら２部材間の角度を保持する機構において、はすば歯車のような傾斜を有する歯が形成された部分歯車と、この部分歯車に係合するロック片によって構成され、前記部分歯車は、その回転軸が前記ヒンジ軸に一致するように前記２部材の一方に固定され、前記ロック片は、前記２部材の他方に移動可能に設けられ、前記２部材の間に角度変化が生じるとき、ある方向への角度変化は前記部分歯車とロック片との間にロック状態維持の分力を発生させ、反対方向への角度変化は前記部分歯車とロック片との間にロック状態解除の分力を発生させるものとした。これにより、２部材間に力を加えるだけでロック状態を解除でき、２部材間の角度変更を容易に行うことが可能である。また、はすば歯車のような傾斜を有する歯をロック片と係合させ、ロック片の移動を規制することによって、歯が持つ傾斜の作用を利用した、強固なロック状態の維持を実現することが可能である。その結果、ある方向への角度変更は、ロック解除操作が不要となり、使用者の手間を省くことが可能である。さらに、その反対方向への角度変更に対しては、ロック状態にて角度を保持することが可能であり、且つ使用者が部材を手で強く押しても、容易にロックが解除されることはない。
【００５３】
また、前記部分歯車が、ヒンジ結合された前記２部材の一方に配設されたヒンジ片と一体に形成されていることとしたので、前記ロック片と係合する係止手段を、別部品として新たに設ける必要がない。その結果、部品点数の削減によるコストダウンや構造の簡素化が可能となる。また、生産時において作業工程の削減が可能となる。
【００５４】
また、前記ロック片を設けた側の部材に、このロック片をロック位置に付勢するばねが設けられていることとした。このため、ばねの付勢力によって自動的に、ロック片をロック位置に移動することが可能である。その結果、ロック片をロック位置に移動させる操作が不必要となる。したがって、構造の簡素化が可能となり、ロック片を移動させるための使用者の手間も省くことができる。
【００５５】
また、前記ロック片が、前記部分歯車の歯に係合する単一の突起を有することとした。これにより、複数の突起を複数の歯に係合させることによって必要となる非常に複雑な形状のロック片を作成する必要がない。その結果、部品形状の簡素化や、生産時における作業工程の削減が可能となる。
【００５６】
また、前記ロック片と前記部分歯車とのロックを解除するための、ロック解除片を設けることとした。これにより、前記２部材間の角度変更をするために手を添える場所と、前記角度保持機構との距離が離れている場合であっても、ロック解除操作を行うことが可能である。その結果、使用者の操作の手間が省け、いずれの方向にもスムースに角度変更を行うことが可能である。
【００５７】
また、前記ロック解除片を操作することによって、ロック解除片の一端が前記ロック片に接触し、これによりロック片が、ロック解除位置に移動することとした。ロック解除片がロック片に単に接触するだけでロック解除がなされることより、ロック解除のための複雑な機構を新たに設ける必要がない。その結果、部品点数の削減によるコストダウンや構造の簡素化が可能となる。また、生産時において作業工程の削減が可能となる。
【００５８】
また、前記ロック解除片が、前記部分歯車を設けた側の部材に設けられていることとした。これにより、部分歯車を設けた側の部材が可動部材であった場合、この部材を一方の手で持って角度変更するときに、角度変更とロック解除の二つの操作を、片手で行うことが可能である。その結果、ロックを解除して２部材間の角度変更をする場合において、各々の操作のために両手を使う必要がなくなり、片手で角度変更を行うことができるので、使用者の操作の手間が省くことが可能である。
【００５９】
また、前記ロック解除片は、斜面作用により前記ロック片を移動させるものであることとした。これにより、ロック解除操作に伴うロック解除片の移動方向とは異なる方向に、ロック片を移動させることが可能である。その結果、機器の仕様により、ロック片とロック解除片の各々の移動を異なる方向にしなければならない、或いは角度保持機構を配置するスペースに制限があるなどの機器においても、ロック機構を使用することが可能である。
【００６０】
また、前記２部材間の角度がどのようになっても、前記ロック解除片が、前記ロック片に作用を及ぼすことが可能であることとした。これにより、２部材間の角度がどのような状態であっても、常に、ロック解除を行うことが可能である。その結果、任意の角度で角度保持及びその解除を行うことが可能であり、たいへん好都合である。
【００６１】
また、本発明では、機器の２つの部材の間に、２つの部材の間に、前記角度保持機構を設けたこととしたので、２部材の角度を様々に変更して使用する機器において、２部材間に力を加えるだけでロック状態を解除でき、２部材間の角度変更を容易に行うことが可能である。また、はすば歯車のような傾斜を有する歯をロック片と係合させ、ロック片の移動を規制することによって、歯が持つ傾斜の作用を利用した、強固なロック状態の維持を実現できる。その結果、ある方向への角度変更は、ロック解除操作が不要となり、使用者の手間を省くことが可能な機器を提供することが可能となる。さらに、その反対方向への角度変更に対しては、ロック状態にて角度を保持することが可能であり、且つ使用者が部材を手で強く押しても、容易にロックが解除されることはない機器を提供することが可能となる。
【００６２】
また、本発明では、前記機器において、前記２つの部材が、本体と、この本体に対し倒伏状態と起立状態の間で角度変更可能に設けられる表示部であるものとした。これにより、表示部の起立方向に力を加えるだけでロック状態を解除でき、見易い角度に容易に角度変更することが可能である。さらに、倒伏方向に強い力が加えられても、その角度を強固なロック状態で維持することが可能である。その結果、表示部の起立方向への角度変更は、ロック解除操作が不要となり、使用者の手間を省くことが可能な機器を提供することが可能となる。さらに、表示部を任意の角度で保持することができ、且つ使用者が表示部を手で強く押しても、容易にロックが解除されることはない機器を提供することが可能となる。
【図面の簡単な説明】
【図１】本発明の実施形態に係る角度保持機構を用いた機器の要部断面部分斜視図
【図２】図１の機器の角度保持機構部の部分断面上面図
【図３】図１の機器の角度保持機構部の部分断面側面図
【図４】図１の機器の角度保持機構部の部分断面正面図
【図５】角度保持機構に用いられている部分歯車の斜視図
【図６】角度保持機構に用いられているロック片の斜視図
【図７】（ａ）　角度保持機構の動作を示す部分断面上面図
（ｂ）　角度保持機構の動作を示す斜視図
【図８】表示部をロック解除方向に回転させたときの角度保持機構の動作を示す斜視図及び上面図
（ａ）　表示部の倒伏状態における角度保持機構の斜視図
（ｂ）　表示部の倒伏状態における角度保持機構の上面図
（ｃ）　倒伏状態から起立方向へ約６度角度変更した状態の角度保持機構の斜視図
（ｄ）　倒伏状態から起立方向へ約６度角度変更した状態の角度保持機構の上面図
（ｅ）　倒伏状態から起立方向へ約１２度角度変更した状態の角度保持機構の斜視図
（ｆ）　倒伏状態から起立方向へ約１２度角度変更した状態の角度保持機構の上面図
（ｇ）　倒伏状態から起立方向へ１６度（歯一個分）角度変更した状態の角度保持機構の斜視図
（ｈ）　倒伏状態から起立方向へ１６度（歯一個分）角度変更した状態の角度保持機構の上面図
【図９】角度保持機構のロック解除片の位置変化を示す斜視図
（ａ）　表示部の倒伏状態における角度保持機構の斜視図
（ｂ）　表示部の起立状態における角度保持機構の斜視図
【符号の説明】
１　　機器本体
２　　表示部
３　　ヒンジ
４　　角度保持機構
４１　部分歯車
４２　ロック片
４３　ばね
４４　ロック解除片
【図１】
2004146514.tif 000003
【図２】
2004146514.tif 000004
【図３】
2004146514.tif 000005
【図４】
2004146514.tif 000006
【図５】
2004146514.tif 000007
【図６】
2004146514.tif 000008
【図７】
2004146514.tif 000009
【図８】
2004146514.tif 000010
【図９】
2004146514.tif 000011